(57)【要約】      （修正有）【課題】趣向を向上させ得る食品型押し器を提供する。【解決手段】本食品型押し器１は、把持部１１と、該把持部１１の先端に設けられ食品に模様を付けるための型押し部１２とを有する型押し部材１０を２つ以上有し、把持部１１は、その軸方向Ａの長さがそれぞれの型押し部材１０において同じになっているとともに、軸方向Ａと直交する断面形状が矩形状に形成されており、型押し部１２は、それぞれの型押し部材１０において異なる模様となっている。【選択図】図１
0003172253.tif 000002
【実用新案登録請求の範囲】
【請求項１】
把持部と、前記把持部の先端に設けられ食品に模様を付けるための型押し部とを有する型押し部材を２つ以上有し、
前記把持部は、その軸方向長さがそれぞれの型押し部材において同じになっているとともに、前記軸方向と直交する断面形状が矩形状に形成されており、
前記型押し部は、それぞれの型押し部材において異なる模様となっていることを特徴とする食品型押し器。
【請求項２】
請求項１に記載の食品型押し器において、
上記２つ以上の型押し部材を収納する収納ケースを更に備えることを特徴とする食品型押し器。
【請求項３】
請求項２に記載の食品型押し器において、
上記収納ケースは、矩形筒部とその矩形筒部の一端開口を塞ぐ底面部とを有する収納ケース本体を備え、上記収納ケース本体の内側に、矩形筒部の軸心方向と型押し部材の軸方向とを一致させて上記複数の型押し部材を収納するもので、上記複数の型押し部材の全てを上記収納ケース本体の内側に収納した状態で、上記矩形筒部の軸心方向と直交する方向における上記矩形筒部の矩形断面の一辺の長さと、収納された各型押し部材の把持部における上記一辺に沿った辺の方向の長さの合計とがほぼ一致し、かつ上記矩形筒部の矩形断面の他辺の長さと、収納された各型押し部材の把持部における上記他辺に沿った方向の辺の長さの合計とがほぼ一致するように構成されていることを特徴とする食品型押し器。
【請求項４】
請求項３に記載の食品型押し器において、
上記複数の型押し部材が、上記矩形筒部の上記一辺側と上記他辺側とのそれぞれに沿って上記収納ケース本体に収納され、上記一辺または上記他辺に沿って収納される１列分の型押し部材の色を同色に揃えており、かつ、各列の型押し部材の色を互いに異ならせていることを特徴とする食品型押し器。
【請求項５】
請求項２乃至４のいずれかに記載の食品型押し器において、
上記収納ケースは、上記収納ケース本体の上記底面部と反対側の開口を開閉する開閉蓋を有することを特徴とする食品型押し器。
【請求項６】
請求項５に記載の食品型押し器において、
更に、上記開閉蓋と上記型押し部材との間に挟み込まれる内蓋を有し、この内蓋は可撓性を有する合成樹脂製であることを特徴とする食品型押し器。
【請求項７】
請求項６に記載の食品型押し器において、
上記内蓋は、各型押し部材の型押し部毎に上記開閉蓋側へ膨出した膨出部が形成された内蓋本体を備え、この内蓋本体における上記膨出部の少なくとも一部は該当する型押し部の模様に対応する形状に形成されていることを特徴とする食品型押し器。
【請求項８】
請求項７に記載の食品型押し器において、
上記内蓋は、上記内蓋本体に繋がっていて、隣り合う型押し部材の隙間および矩形筒部とこれに接近する上記型押し部材との隙間のうちの少なくとも一方に挿入される隙間挿入部を有することを特徴とする食品型押し器。
【請求項９】
請求項７または８に記載の食品型押し器において、
上記型押し部材および上記収納ケースが合成樹脂製のものであることを特徴とする食品型押し器。
【請求項１０】
請求項１乃至９のいずれかに記載の食品型押し器において、
上記型押し部材のそれぞれは内部に空洞を有することを特徴とする食品型押し器。
【考案の詳細な説明】
【技術分野】
【０００１】
本考案は、食品の表面に凹状の模様などを付けるための食品型押し器に関する。
【背景技術】
【０００２】
上記食品型押し器として、例えば板状の食パンやハム或いはウインナなどの食品に押し付けて、食品にハートや文字など模様を付ける型押し部が、模様に応じた形で形成されたものが知られている（例えば特許文献１等参照）。その型押し部の具体的な構造は、型押し器の一面に上記模様を形成するための突起が突出形成された構成である。
【先行技術文献】
【特許文献】
【０００３】
【特許文献１】実開昭６２−１５９８２８号
【考案の概要】
【考案が解決しようとする課題】
【０００４】
しかしながら、上記食品型押し器にあっては、食品に毎回同じ模様しか付けることができず、趣向の点で改良の余地があった。
【０００５】
本考案は、このような従来技術の課題を解決すべくなされたものであり、趣向を向上させ得る食品型押し器を提供することを目的とする。
【課題を解決するための手段】
【０００６】
本考案に係る食品型押し器は、把持部と、前記把持部の先端に設けられ食品に模様を付けるための型押し部とを有する型押し部材を２つ以上有し、前記把持部は、その軸方向長さがそれぞれの型押し部材において同じになっているとともに、前記軸方向と直交する断面形状が矩形状に形成されており、前記型押し部は、それぞれの型押し部材において異なる模様となっていることを特徴とする。本考案による場合には、２以上の型押し部材のそれぞれに異なった模様の型押し部が設けられているので、型押し部材を選択使用（同時に２以上の型押し部材を使用することを含む）することで、異なる模様を食品に付けることができ、これにより毎回同じ模様となることを回避でき、趣向を向上させ得る。また、各型押し部材の把持部は、それぞれ軸方向長さを一定にし、断面形状も共通の矩形状に揃えているので、２以上の型押し部材を同じセットものとして認識させ得る。なお、上記模様は、文字、数字、アルファベット、物や動物や植物などの形、および喜んだ表情や表現などを表す形態等を含む。
【０００７】
この構成の食品型押し器において、上記２つ以上の型押し部材を収納する収納ケースを更に備えるようにしてもよい。これによる場合には、２つ以上の型押し部材を１つのセットとして収納ケースに纏めて収納できる。
【０００８】
また、この構成の食品型押し器において、上記収納ケースは、矩形筒部とその矩形筒部の一端開口を塞ぐ底面部とを有する収納ケース本体を備え、上記収納ケース本体の内側に、矩形筒部の軸心方向と型押し部材の軸方向とを一致させて上記複数の型押し部材を収納するもので、上記複数の型押し部材の全てを上記収納ケース本体の内側に収納した状態で、上記矩形筒部の軸心方向と直交する方向における上記矩形筒部の矩形断面の一辺の長さと、収納された各型押し部材の把持部における上記一辺に沿った辺の方向の長さの合計とがほぼ一致し、かつ上記矩形筒部の矩形断面の他辺の長さと、収納された各型押し部材の把持部における上記他辺に沿った方向の辺の長さの合計とがほぼ一致するように構成されていてもよい。これによる場合には、収納ケース本体の内側に型押し部材の全てを、型押し部材の軸方向と矩形筒部の軸心方向とを一致させて収納した状態で、矩形筒部の軸心方向と直交する方向における矩形筒部の矩形断面の一辺の長さと、収納された各型押し部材の把持部の上記一辺に沿った方向の辺の長さの合計とがほぼ一致し、かつ上記矩形筒部の矩形断面の他辺の長さと、収納された各型押し部材の把持部の上記他辺に沿った方向の辺の長さの合計とがほぼ一致するので、各型押し部材の把持部における辺の向きを収納ケースの矩形筒部の辺に対応させることが可能になる。換言すれば、型押し部材の把持部が断面長方形に形成されている場合において、把持部の辺の向きが収納ケースの矩形筒部の辺に対応しないとき、１セット全ての型押し部材を収納ケースに収納させることが不可能になる。よって、１セット全ての型押し部材が収納ケースに収納されることで、各型押し部材の型押し部の模様の左右方向（または左右方向と直交する方向である模様の上下方向）が揃う状態になる。
【０００９】
更に、この構成の食品型押し器において、上記複数の型押し部材が、上記矩形筒部の上記一辺側と上記他辺側とのそれぞれに沿って上記収納ケース本体に収納され、上記一辺または上記他辺に沿って収納される１列分の型押し部材の色を同色に揃えており、かつ、各列の型押し部材の色を互いに異ならせていてもよい。これによる場合には、同じ色の複数の型押し部材で一列分が構成されるため、色が同じ型押し部材を一列分として用いることを色ごとについて行うことにより、１セット分の型押し部材の一辺（または他辺）と収納ケースの一辺（または他辺）とを合わせ易くすることができる。
【００１０】
更にまた、この構成の食品型押し器において、上記収納ケースは、上記収納ケース本体の上記底面部と反対側の開口を開閉する開閉蓋を有するようにしてもよい。このようにした場合には、収納ケースを密閉状態にすることができ、これにより型抜き部に埃などが付着するのを防止することができる。
【００１１】
更にまた、この構成の食品型押し器において、更に、上記開閉蓋と上記型押し部材との間に挟み込まれる内蓋を有し、この内蓋は可撓性を有する合成樹脂製であってもよい。これによる場合には、可撓性を有する合成樹脂製の内蓋が開閉蓋と型押し部材との間に挟み込まれているので、この内蓋が衝撃吸収材として機能し、型押し部材が収納ケースに直接衝突する場合よりも発生する音を小さくすることができる。
【００１２】
更にまた、この構成の食品型押し器において、上記内蓋は、各型押し部材の型押し部毎に上記開閉蓋側へ膨出した膨出部が形成された内蓋本体を備え、この内蓋本体における上記膨出部の少なくとも一部は該当する型押し部の模様に対応する形状に形成されていてもよい。この構成による場合には、内蓋本体の各膨出部は各型押し部材の軸方向の動きを抑制する。加えて、型押し部の模様に対応する形状に形成された膨出部は、対応する型押し部材の軸方向と直交する方向（横方向）の動きを抑制するので、この横方向の動きが抑制された型押し部材が他の型押し部材の横方向の動きを抑制することになり、ほぼ全体の型押し部材のガタツキを防止することが可能になる。これによっても発生する音を小さくすることが可能になる。
【００１３】
更にまた、この構成の食品型押し器において、上記内蓋は、上記内蓋本体に繋がっていて、隣り合う型押し部材の隙間および矩形筒部とこれに接近する上記型押し部材との隙間のうちの少なくとも一方に挿入される隙間挿入部を有していてもよい。これによる場合には、隣り合う型押し部材の隙間や矩形筒部とこれに接近する上記型押し部材との隙間に、隙間挿入部が挿入される。よって、型押し部材が上記横方向に動いて、隣り合う型押し部材や矩形筒部に衝突するのを隙間挿入部が防止し、隙間挿入部が型押し部材のガタツキを防止する。これにより型押し部材のガタツキに伴って発生する衝突音を更に抑制することが可能になる。逆に、内蓋を取り外したときには、隣り合う型押し部材の間や矩形筒部とこれに接近する型押し部材との間に存在する隙間を利用して、各型押し部材の取り出しをスムーズに行わせ得る。
【００１４】
更にまた、この構成の食品型押し器において、上記型押し部材および上記収納ケースが合成樹脂製のものであってもよい。この構成による場合には、内蓋が上述したように衝突音を抑制するので、型押し部材および収納ケースに、ガタツキにより比較的大きな衝突音を発生する合成樹脂製のものを用いることができる。これにより、金型を使用して型押し部材および収納ケースを成形することが可能になり、製造コストを低下させ得る。
【００１５】
更にまた、この構成の食品型押し器において、上記型押し部材のそれぞれは内部に空洞を有していてもよい。この構成による場合には、材料コストの低廉化が可能になる。
【考案の効果】
【００１６】
本考案による場合には、２以上の型押し部材のそれぞれに異なった模様の型押し部が設けられているので、型押し部材を選択使用（同時に２以上の型押し部材を使用することを含む）することで、異なる模様を食品に付けることができ、これにより毎回同じ模様となることを回避でき、趣向を向上させ得る。
【図面の簡単な説明】
【００１７】
【図１】本考案に係る食品型押し器を示す分解斜視図である。
【図２】図１の食品型押し器を示す縦断面図である。
【図３】図１の食品型押し器を構成する複数の型押し部材を示す外観斜視図である。
【考案を実施するための形態】
【００１８】
以下に、本考案の実施形態を具体的に説明する。
【００１９】
図１は本考案の一実施形態に係る食品型押し器を示す分解斜視図であり、図２はその食品型押し器を示す縦断面図、図３はその食品型押し器を構成する複数の型押し部材を示す外観斜視図である。なお、図２において、収納ケースは開閉蓋を収納ケース本体から浮上させた状態に表している。
【００２０】
この食品型押し器１は、食品に模様を付けるための複数、図示例では１１個を１セット分とする型押し部材１０と、これら型押し部材１０を収納する収納ケース２０と、収納ケース２０の内側であって型押し部材１０の上に配設される内蓋３０とを備える。
【００２１】
型押し部材１０は、それぞれ把持部１１と、その把持部１１の先端に設けられた型押し部１２とを有する合成樹脂製、例えばＡＢＳ樹脂（アクリロニトリル、ブタジエン、スチレン共重合合成樹脂）製のもので、内部に空洞が設けられていて、軽量化されているとともに材料コストの低廉化が図られている。
【００２２】
把持部１１は、その軸方向Ａの長さＨ１がそれぞれの型押し部材１０において同じになっているとともに、軸方向Ａと直交する断面形状が矩形状に形成されている。また、把持部１１の断面形状は、先端側である型押し部１２側が大きく、基端側が小さくなるように形成されていて、先端側の矩形断面における一辺側の幅寸法は、基端側の矩形断面における一辺側の幅寸法よりも長く、先端側の矩形断面における他辺側の幅寸法は、基端側の矩形断面における他辺側の幅寸法よりも長くなっている。これは、型押し部材１０を取り出し易くするためである。但し、軸方向Ａと直交する方向において、角部は丸くなっていて角落としされている。
【００２３】
また、把持部１１は、上記矩形断面の一辺側の幅寸法を各型押し部材１０において同一とし、他辺側の長さ寸法を型押し部１２の模様に応じて各型押し部材１０において変化させてあり、また型押し部１２は、それぞれの型押し部材１０において異なる模様となっている。これら把持部１１および型押し部１２については、後で詳述する。
【００２４】
ここで、型押し部材１０については、図１に示すように右下から左側へ向かいかつ手前側の列から奥側の列に向かって、型押し部材１０（１）〜１０（１１）のように括弧内の数字が順に大きくなるものとし、各型押し部材１０（１）〜１０（１１）の把持部１１を、図３に示すように同様に把持部１１（１）〜１１（１１）と表し、また、各型押し部材１０（１）〜１０（１１）の型押し部１２も、同様に型押し部１２（１）〜１２（１１）と表す。
【００２５】
手前側の列は、４個の型押し部材１０（１）〜１０（４）で構成され、一つ奥側の列は、４個の型押し部材１０（５）〜１０（８）で構成され、最奥側の列は、３つの型押し部材１０（９）〜１０（１１）で構成される。
【００２６】
各列の把持部１１の先端側における一辺側の幅寸法Ｗ１、Ｗ２、Ｗ３は同じ値に設定されている。一方、把持部１１の先端側における他辺側の長さ寸法Ｌ１〜Ｌ１１については、各列での合計値がほぼ等しくなるように設定されている。具体的には、手前側の列における４個の型押し部１１（１）、１１（２）、１１（３）、１１（４）における各長さ寸法Ｌ（１）、Ｌ（２）、Ｌ（３）、Ｌ（４）の合計と、一つ奥側の列における４個の型押し部１１（５）、１１（６）、１１（７）、１１（８）における各長さ寸法Ｌ（５）、Ｌ（６）、Ｌ（７）、Ｌ（８）の合計と、最奥側の列における３つの型押し部１１（９）、１１（１０）、１１（１１）における各長さ寸法Ｌ（９）、Ｌ（１０）、Ｌ（１１）の合計とが、ほぼ同一に設定されている。
【００２７】
なお、手前側の列における右側３個の型押し部１１（１）、１１（２）、１１（３）における各長さ寸法Ｌ（１）、Ｌ（２）、Ｌ（３）と、一つ奥側の列における３個の型押し部１１（５）、１１（６）、１１（７）における各長さ寸法Ｌ（５）、Ｌ（６）、Ｌ（７）とは、全て同一に設定されている。これに伴い、手前側の列における左端の型押し部１１（４）における長さ寸法Ｌ（４）と、一つ奥側の列における左端の型押し部１１（８）における長さ寸法Ｌ（８）とは、同一に設定されている。また、最奥側の列における右端の型押し部１１（９）の長さ寸法Ｌ（９）は、その左側の型押し部１１（１０）の長さ寸法Ｌ（１０）よりも短く、当該左側の型押し部１１（１０）の長さ寸法Ｌ（１０）はその左側の型押し部１１（１１）における長さ寸法Ｌ（１１）よりも短く設定されている。よって、手前側の列における右側３個の型押し部１１（１）、１１（２）、１１（３）及び一つ奥側の列における３個の型押し部１１（５）、１１（６）、１１（７）は、これらの中で違う位置や、違う列へ移動させ得る。このことは、手前側の列における左端の型押し部１１（４）および一つ奥側の列における左端の型押し部１１（８）においても同様である。
【００２８】
次に、型押し部１２につき説明する。手前側の列の右端の型押し部材１０（１）では、型押し部１２（１）の模様は「６弁の花」が表され、続いて左側の型押し部材１０（２）では、型押し部１２（２）の模様は「渦」が表され、更に続いて左側の型押し部材１０（３）では、型押し部１２（３）の模様は「蝶」が表され、更に続いて左側の型押し部材１０（４）では、型押し部１２（４）の模様は「豚の顔」が表され、途中を省略し、最後の奥側の列の左端の型押し部材１０（１１）では、型押し部１２（１１）の模様は「かに」が表されている。なお、各型押し部材１０の基端側の端面には、型押し部１２と同様の模様が突出形成されていて、この確認用模様により型押し部１２とは反対側からでも型押し部１２の模様を確認可能となっている。また、型押し部１２における模様としては、一重の線に限らず、二重線などに形成してもよい。
【００２９】
上述の型押し部１２は、食品に模様を付けることができるように突出形成されていて、その突出高さはＨ２に設定されている。よって、型押し部材１０の軸方向Ａの全長Ｈ３は、把持部１１の軸方向Ａの長さＨ１と突出高さＨ２との合計になる。
【００３０】
収納ケース２０は、上記１１個の型押し部材１０を収納するもので、図１に示すように収納ケース本体２１と開閉蓋２２とを有し、これら収納ケース本体２１及び開閉蓋２２は硬質の同じ合成樹脂、例えばＡＳ樹脂（アクリロニトリル、スチレンの共重合合成樹脂）を用いて形成されている。なお、収納ケース本体２１及び開閉蓋２２は、互いに異なる材料で形成してもよい。
【００３１】
収納ケース本体２１は、矩形筒部２３と、その矩形筒部２３の一端開口を塞ぐ底面部２４とを備える。矩形筒部２３は、その軸心方向Ｂに沿った高さＨ４が、型押し部材１０の軸方向Ａの全長Ｈ３よりは短く、把持部１１の軸方向Ａの長さＨ１よりは長く設定されている。よって、収納ケース本体２１に型押し部材１０を、図２に示すように型押し部材１０の軸方向Ａを矩形筒部２３の軸心方向Ｂに一致させて収納した状態で、把持部１１の先端１１ａが収納ケース本体２１の上縁２１ａよりも低い高さ位置に、また型押し部１２の上端１２ａが上縁２１ａよりも高い高さ位置になる。
【００３２】
また、矩形筒部２３において、把持部１１における矩形断面の一辺側と同じ方向の一辺側の幅寸法Ｗは、前記把持部１１における矩形断面の一辺側の幅寸法の合計であるＷ１＋Ｗ２＋Ｗ３にほぼ一致する。また、矩形筒部２３において、把持部１１における矩形断面の他辺側と同じ方向の他辺側の長さ寸法Ｌは、前記把持部１１における矩形断面の他辺側の長さ寸法の合計（１列分の長さ寸法の合計）であるＬ（１）＋Ｌ（２）＋Ｌ（３）＋Ｌ（４）にほぼ一致する。当然に、Ｌ（５）＋Ｌ（６）＋Ｌ（７）＋Ｌ（８）にもほぼ一致し、Ｌ（９）＋Ｌ（１０）＋Ｌ（１１）にもほぼ一致する。よって、収納ケース本体２１は、１１個全ての型押し部材１０を軸方向Ａと軸心方向Ｂとが一致する状態で収納し得るとともに、型押し部材１０の一列分の組み合わせが異なっていて、かつ一列分の長さ寸法の全長が矩形筒部２３の長さ寸法Ｌよりも長い場合には、１１個全ての型押し部材１０を収納できないので、全て収納させるためには一列分の組み合わせを変える必要がある。
【００３３】
更に、型押し部材１０は、各列で色を変えている。例えば、手前側の列における４個の型押し部１１（１）〜１１（４）では白色に、一つ奥側の列における４個の型押し部１１（５）〜１１（８）ではピンク色に、最奥側の列における３つの型押し部１１（９）〜１１（１１）では緑色に、色分けしていて、各列の組み合わせを容易にしている。
【００３４】
上記開閉蓋２２については、収納ケース本体２１とは分離して設けられ、収納ケース本体２１の底面部２４とは反対側に被せられることにより、収納ケース本体２１の開口２５を閉じ、収納ケース本体２１から離すと開口２５が表れて開状態になる。なお、開閉蓋２２は、ヒンジを介して収納ケース本体２１と揺動可能に連結してもよい。
【００３５】
開閉蓋２２の具体的な構成は、矩形板状の覆い部２６と、その覆い部２６の全周の縁部から垂直に同じ方向に突出した筒状部２７とを有し、覆い部２６で開口２５を覆い、筒状部２７を矩形筒部２３の開口２５側の端部（上端部）の外側に重ねることで、開口２５を閉にするようになっている。
【００３６】
上記内蓋３０は、この開閉蓋２２の内側であって、型押し部材１０の上部を覆う状態にセットされるもので、可撓性を有する合成樹脂製、例えばＰＥＴ樹脂（ポリエチレンテレフタレート樹脂）製である。この内蓋３０は、緩衝材として機能し、型押し部材１０の上部を覆う矩形板状をした内蓋本体３１と、この内蓋本体３１の全周の縁部に対し垂直に繋がっている隙間挿入部３２とを有する。この隙間挿入部３２は、環状であって一定の高さＨ５を有するもので、本実施形態では矩形筒部２３とこれに接近する型押し部材１０との隙間Ｃ（図２参照）に挿入されることで、その隙間Ｃが実質的に狭くなって型押し部材１０と矩形筒部２３との衝突に伴って発生する音を小さくさせ得る。すなわち、隙間挿入部３２が無ければ、前記隙間Ｃは狭くなることがなく、型押し部材１０と矩形筒部２３との衝突に伴って大きな音を発生する筈であるが、隙間挿入部３２の挿入による隙間Ｃの減少によって音を小さくさせ得る。なお、隙間挿入部３２は、矩形筒部２３と型押し部材１０との間に挿入するように形成することに限らず、加えて隣り合う型押し部材の間にも挿入する形態としてもよく、或いは矩形筒部２３と型押し部材１０との間に挿入する箇所を省略しかつ隣り合う型押し部材の間にのみ挿入する形態としてもよい。そのようにしても同様の効果が得られる。
【００３７】
また、内蓋本体３１には、各型押し部材１０の型押し部１２毎に開閉蓋２２側へ高さＨ６で膨出した膨出部３３が形成されている。この膨出部３３についても、型押し部材１０と同様に、図１に示すように右下から左側へ向かいかつ手前側の列から奥側の列に向かって、括弧内の数字が大きくなるように、３３（１）〜３３（１１）と表す。
【００３８】
これら膨出部３３（１）〜３３（１１）のうちの少なくとも一部、例えば膨出部３３（４）、３３（７）、３３（９）は、対応する型押し部１２（４）、１２（７）、１２（９）の模様の輪郭に応じた形状に形成されている。よって、膨出部３３（４）、３３（７）、３３（９）の側面が型押し部１２（４）、１２（７）、１２（９）の軸方向Ａと直交する方向へのガタツキを抑制し、これによっても矩形筒部２３と型押し部材１０との間での衝突と、隣り合う型押し部材の間での衝突とが押さえられ、衝突に伴って発生する音を小さくすることができる。
【００３９】
なお、膨出部３３の高さＨ６と隙間挿入部３２の高さＨ５とを加えた高さＨ７は、型押し部１２の突出高さＨ２よりも大きいので、図２に示したように隙間挿入部３２が収納ケース本体２１と型押し部材１０との隙間Ｃに入り込む。また、開閉蓋２２の筒状部２７の高さＨ８は、上記高さＨ７よりも十分に大きい値に設定しているので、この開閉蓋２２は内蓋３０を型押し部材１０へ下向きに押し付ける状態で、収納ケース本体２１の上端部に重なるように外側へ嵌め込まれる。
【００４０】
したがって、このように構成された本実施形態に係る食品型押し器１にあっては、以下の効果が得られる。
【００４１】
１）  １１個の型押し部材１０のそれぞれに異なった模様の型押し部１２が設けられているので、型押し部材１０を選択使用（同時に２以上の型押し部材を使用することを含む）することで、異なる模様を食品に付けることができ、これにより毎回同じ模様となることを回避でき、趣向を向上させ得る。また、各型押し部材１０の把持部１１は、それぞれ長さを一定にし、断面形状も共通の矩形状に揃えているので、１１個の型押し部材１０をセットものとして認識させ得る。更に、１つのセットの型押し部材１０を収納ケース２０に纏めて収納できる。
【００４２】
２）  収納ケース本体２１の内側に１セット分の型押し部材１０の全てを、型押し部材１０の軸方向Ａと矩形筒部２３の軸心方向Ｂとを一致させて収納した状態で、軸心方向Ｂと直交する方向における矩形筒部２３の矩形断面の一辺の長さ寸法（幅寸法）Ｗと、収納された各型押し部材１０の把持部１１の上記一辺に沿った方向の辺の長さ寸法（幅寸法）の合計（Ｗ１＋Ｗ２＋Ｗ３）とがほぼ一致し、かつ上記矩形筒部２３の矩形断面の他辺の長さ寸法（長さ寸法）Ｌと、収納された各型押し部材１０の把持部１１の上記他辺に沿った方向の辺の長さ寸法の合計｛Ｌ（１）＋Ｌ（２）＋Ｌ（３）＋Ｌ（４）、または、Ｌ（５）＋Ｌ（６）＋Ｌ（７）＋Ｌ（８）、または、Ｌ（９）＋Ｌ（１０）＋Ｌ（１１）｝とがほぼ一致するので、各型押し部材１０の把持部１１における辺の向きを収納ケース２０の矩形筒部２３の辺に対応させることが可能になる。換言すれば、型押し部材１０の把持部１１が断面を長方形にして形成されている場合において、把持部１１の辺の向きが収納ケース２０の矩形筒部２３の辺に対応しないとき、１セット全ての型押し部材１０を収納ケース２０に収納させることが不可能になる。よって、１セット全ての型押し部材１０が収納ケース２０に収納されることで、各型押し部材１０の型押し部１２の模様の左右方向が揃う状態になる。
【００４３】
３）  同じ色の複数の型押し部材１０で一列分が構成されるため、色が同じ型押し部材１０を一列分として用いることを色ごとについて行うことにより、１セット分の型押し部材１０の一辺（または他辺）と収納ケース２０の一辺（または他辺）とを合わせ易くすることができる。
【００４４】
４）  収納ケース２０は、収納ケース本体２１の底面部２４と反対側の開口２５を開閉する開閉蓋２２を有するので、収納ケース２０を密閉状態にすることができ、これにより型抜き部１２に埃などが付着するのを防止することができる。
【００４５】
５）  可撓性を有する合成樹脂製の内蓋３０が開閉蓋２２と型押し部材１０との間に挟み込まれているので、この内蓋３０が衝撃吸収材として機能し、型押し部材１０が収納ケース２０に直接衝突する場合よりも発生する音を小さくすることができる。内蓋３０は、主に商品として搬送されるときに必要となるものなので、開封後は廃棄してもよい。
【００４６】
６）  内蓋本体３１の各膨出部３３は各型押し部材１０の軸方向Ａの動きを抑制する。加えて、型押し部１２の模様に対応する形状に形成された膨出部３３は、対応する型押し部材１０の軸方向Ａと直交する方向（横方向）の動きを抑制するので、この横方向の動きが抑制された型押し部材１０が、他の型押し部材１０の横方向の動きを抑制することになり、ほぼ全体の型押し部材１０のガタツキを防止することが可能になる。これによっても発生する音を小さくすることが可能になる。
【００４７】
７）  隣り合う型押し部材１０の隙間や矩形筒部２３とこれに接近する型押し部材１０との隙間に、隙間挿入部３２が挿入される。よって、型押し部材１０が上記横方向に動いて、隣り合う型押し部材１０や矩形筒部２３に衝突するのを隙間挿入部３２が防止し、隙間挿入部３２が型押し部材１０のガタツキを防止する。これにより型押し部材１０のガタツキに伴って発生する衝突音を更に抑制することが可能になる。逆に、内蓋３０を取り外したときには、隣り合う型押し部材１０の間や、矩形筒部２３とこれに接近する型押し部材１０との間に元々存在する隙間を利用して、各型押し部材１０の取り出しをスムーズに行わせ得る。
【００４８】
８）  内蓋３０が衝突音を抑制するので、型押し部材１０および収納ケース２０に、ガタツキにより比較的大きな衝突音を発生する合成樹脂製のものを用いることができる。これにより、金型を使用して型押し部材１０および収納ケース２０を成形することが可能になり、製造コストを低下させ得る。
【００４９】
なお、上述した実施形態では１１個の型押し部材１０で１セットを形成しているが、本考案はこれに限らない。例えば、２個で１セット、或いは３個以上で１セットとなるように構成してもよい。
【００５０】
また、上述した実施形態では収納ケースに、模様の左右方向が揃うように型押し部材が収納される構成としているが、本考案はこれに限らず、収納ケースに、左右方向と直交する模様の上下方向で揃うように型押し部材が収納される構成としてもよい。
【００５１】
更に、上述した実施形態では収納ケース本体の底面に衝撃を吸収するクッション材を敷くようにしてもよい。このクッション材としては、型押し部材１０の型押し部１２とは反対側に表示した確認用模様を視認できるように、透明または半透明なものが好ましい。
【００５２】
更にまた、上述した実施形態では内蓋を備えた構成としているが、収納ケースが衝突音を発生し難い材質で形成される場合には、内蓋を省略することも可能である。
【符号の説明】
【００５３】
Ａ    軸方向
Ｂ    軸心方向
Ｃ    隙間
Ｗ１〜Ｗ３    幅寸法
Ｌ（１）〜Ｌ（１１）    長さ寸法
１    食品型押し器
１０    型押し部材
１１    把持部
１２    型押し部
２０    収納ケース
２１    収納ケース本体
２２    開閉蓋
２３    矩形筒部
２４    底面部
２５    開口
３０    内蓋
３１    内蓋本体
３２    隙間挿入部
３３    膨出部
【図１】
0003172253.tif 000003
【図２】
0003172253.tif 000004
【図３】
0003172253.tif 000005